(57)【要約】【課題】リモコンで装置の本体へ指示をしたユーザが、本体が指示を受付けたのかをより正確に認識できるようにする。【解決手段】電子機器であって、当該電子機器に配設された第一の指示手段と、前記第一の指示手段とは異なる、前記電子機器に配設されていない第二の指示手段からの指示を受け付ける受付手段と、前記第一の指示手段により所定の指示がされたことに応じて、表示部の第一の領域に前記所定の指示がされたことを示す表示をし、前記受付手段が前記第二の指示手段による前記所定の指示を受付けたことに応じて前記表示部の前記第一の領域よりも大きな第二の領域に前記所定の指示がされたことを示す表示を行うように制御する制御手段と、を有することを特徴とする電子機器。【選択図】図４
2018019347.tif 000002
【特許請求の範囲】
【請求項１】
電子機器であって、
当該電子機器に配設された第一の指示手段と、
前記第一の指示手段とは異なる、前記電子機器に配設されていない第二の指示手段からの指示を受け付ける受付手段と、
前記第一の指示手段により所定の指示がされたことに応じて、表示部の第一の領域に前記所定の指示がされたことを示す表示をし、
前記受付手段が前記第二の指示手段による前記所定の指示を受付けたことに応じて前記表示部の前記第一の領域よりも大きな第二の領域に前記所定の指示がされたことを示す表示を行うように制御する制御手段と、を有することを特徴とする電子機器。
【請求項２】
前記制御手段は、前記第一の指示手段により前記所定の指示がされたことに応じて、前記第二の領域の表示形態を前記受付手段が前記所定の指示を受付ける前の状態から変えることなく、前記表示部の前記第一の領域に前記所定の指示を示すアイテムを表示するように制御することを特徴とする請求項１に記載の電子機器。
【請求項３】
前記制御手段は、前記受付手段が前記第二の指示手段による前記所定の指示を受付けたことに応じて前記表示部の前記第二の領域の表示形態を前記受付手段が前記所定の指示を受付ける前の状態から変えるように制御することを特徴とする請求項１または２に記載の電子機器。
【請求項４】
前記制御手段は、前記受付手段が前記第二の指示手段による前記所定の指示を受付けたことに応じて前記表示部の前記第一の領域に前記所定の指示を示すアイテムを表示すると共に、前記第二の領域の表示形態を変えるように制御することを特徴とする請求項１乃至３のいずれか１項に記載の電子機器。
【請求項５】
前記第二の指示手段と通信可能な通信手段をさらに有し、
前記受付手段は、前記通信手段を介して前記第二の指示手段からの指示を受付けることを特徴とする請求項１乃至４のいずれか１項に記載の電子機器。
【請求項６】
前記電子機器は、前記表示部を有することを特徴とする請求項１乃至５のいずれか１項に記載の電子機器。
【請求項７】
前記表示部には撮像手段により取得された画像が表示され、
前記第二の領域は、前記表示部のうち前記画像の表示されない領域を含むことを特徴とする請求項１乃至６のいずれか１項に記載の電子機器。
【請求項８】
前記第二の領域は、前記表示部の上下両端の領域または左右両端の領域であることを特徴とする請求項１乃至７のいずれか１項に記載の電子機器。
【請求項９】
前記表示部には、前記所定の指示がされる前に撮像手段により取得された画像が表示され、
前記第二の領域は、前記表示部のうち、前記受付手段が前記第二の指示手段による前記所定の指示を受付ける前に、前記画像を表示していた領域を含む領域であることを特徴とする請求項１乃至６のいずれか１項に記載の電子機器。
【請求項１０】
前記制御手段は、前記受付手段が前記第二の指示手段による前記所定の指示を受付けたことに応じて、前記第二の領域の色を変更することを特徴とする請求項１乃至９のいずれか１項に記載の電子機器。
【請求項１１】
前記所定の指示には、コンテンツの記録の開始の指示である第一の指示と、コンテンツの記録の開始の指示ではない第二の指示が少なくとも含まれており、
前記受付手段が、前記第二の指示手段により前記第一の指示を受付けた場合と、前記第二の指示を受付けた場合とで、前記第二の領域の表示形態は異なることを特徴とする請求項１乃至１０のいずれか１項に記載の電子機器。
【請求項１２】
前記表示部には画像が表示され、前記第二の領域は前記表示部に表示される前記画像を囲う領域であることを特徴とする請求項１乃至１１のいずれか１項に記載の電子機器。
【請求項１３】
前記制御手段は、前記表示部に所定のアスペクト比の画像が表示されている場合には、前記第二の指示手段から前記所定の指示を受付けたことに応じて、前記画像の表示される領域を小さくし、前記画像の表示される領域以外の領域であって、前記画像を囲う領域を前記第二の領域として前記所定の指示がされたことを示す表示を行うように制御することを特徴とする請求項７または８に記載の電子機器。
【請求項１４】
前記所定のアスペクト比は、前記表示部のうち画像の表示される領域と同じアスペクト比であることを特徴とする請求項１３に記載の電子機器。
【請求項１５】
前記第二の指示には、動作モードの切り替え指示が少なくとも含まれることを特徴とする請求項１１に記載の電子機器。
【請求項１６】
前記制御手段は、前記第二の指示手段から前記所定の指示を受付けたことに応じて、前記表示部の輝度を上げるように制御することを特徴とする請求項１乃至１５のいずれか１項に記載の電子機器。
【請求項１７】
前記電子機器は、撮像手段をさらに有し、
前記所定の指示は、前記撮像手段で撮像された動画の記録開始指示を含み、
前記所定の指示としての前記記録開始指示を受付けたことに応じて動画の記録を開始するように処理する処理手段をさらに有することを特徴とする請求項１乃至１６のいずれか１項に記載の電子機器。
【請求項１８】
所定のエラーを検知する検知手段をさらに有し、
前記制御手段は、前記検知手段が前記所定のエラーを検知したことに応じて、前記表示部の表示形態を第一の形態と第二の形態とで交互に切り替えるように制御することを特徴とする請求項１乃至１７のいずれか１項に記載の電子機器。
【請求項１９】
第一の指示手段を有する電子機器の制御方法であって、
前記第一の指示手段とは異なる、前記電子機器に配設されていない第二の指示手段からの指示を受け付ける受付ステップと、
前記第一の指示手段により所定の指示がされたことに応じて、表示部の第一の領域に前記所定の指示がされたことを示す表示をし、
前記受付ステップにおいて前記第二の指示手段による前記所定の指示を受付けたことに応じて前記表示部の前記第一の領域よりも大きな第二の領域に前記所定の指示がされたことを示す表示を行うように制御する制御ステップと、を有することを特徴とする電子機器の制御方法。
【請求項２０】
コンピュータを、請求項１乃至１８のいずれか１項に記載された電子機器の各手段として機能させるためのプログラム。
【請求項２１】
コンピュータを、請求項１乃至１８のいずれか１項に記載された電子機器の各手段として機能させるためのプログラムを格納したコンピュータが読み取り可能な記憶媒体。
【発明の詳細な説明】
【技術分野】
【０００１】
本発明は、無線やリモコン等によって外部から送信された指示をユーザに示す技術に関する。
【背景技術】
【０００２】
無線やリモコン等によって外部から送信された指示に応じて動作することが可能なビデオカメラ等の電子機器が知られている。従来、カメラ本体から離れた機器を用いて記録開始コマンドを送信した場合、ユーザは記録開始コマンドに正常に応答して実際にカメラ本体が記録を開始しているかどうかを示すために、カメラ側のタリーランプの点灯することが知られている。ところが、タリーランプは小さく、距離が離れていると視認しにくい。
【０００３】
特許文献１には、リモート撮影時には、ミラーアップ状態であるかをユーザに分かるようにするために、表示部にミラーアップ状態であることを示すマークを表示することが開示されている。
【先行技術文献】
【特許文献】
【０００４】
【特許文献１】特開２０１１−４１１７４号公報
【発明の概要】
【発明が解決しようとする課題】
【０００５】
しかしながら、特許文献１に記載の方法では、マークを表示するだけなので、ユーザが遠隔から確認しにくい可能性がある。よって、リモコンで指示をした内容が本体側に届いているのかどうか分からない可能性が高い。
【０００６】
本発明の目的は、リモコンで装置の本体へ指示をしたユーザが、本体が指示を受付けたのかをより正確に認識できるようにすることである。
【課題を解決するための手段】
【０００７】
上記目的を達成するために本発明は、電子機器に配設された第一の指示手段と、前記第一の指示手段とは異なる、前記電子機器に配設されていない第二の指示手段からの指示を受け付ける受付手段と、前記第一の指示手段により所定の指示がされたことに応じて、表示部の第一の領域に前記所定の指示がされたことを示す表示をし、前記受付手段が前記第二の指示手段による前記所定の指示を受付けたことに応じて前記表示部の前記第一の領域よりも大きな第二の領域に前記所定の指示がされたことを示す表示を行うように制御する制御手段と、を有することを特徴とする。
【発明の効果】
【０００８】
本発明によれば、リモコンで装置の本体へ指示をしたユーザが、本体が指示を受付けたのかをより正確に認識することができる。
【図面の簡単な説明】
【０００９】
【図１】撮像装置のブロック図（図（ａ））、斜視図（図（ｂ））である。
【図２】携帯端末のブロック図である。
【図３】表示部の表示例を示す図である。
【図４】表示部の表示制御処理のフローチャートである。
【図５】第２の実施の形態における表示部の表示例を示す図である。
【図６】表示部の表示制御処理のフローチャートの一部である。
【発明を実施するための形態】
【００１０】
以下、図面を参照して本発明の実施の形態を説明する。
【００１１】
（第１の実施の形態）
図１（ａ）、（ｂ）はそれぞれ、本発明の第１の実施の形態に係る撮像装置のブロック図、斜視図である。この撮像装置１００は、一例として、動画撮影が可能なデジタルビデオカメラとして構成される。撮像装置１００は、本体１０１（本体部）と、本体１０１に対して回動可能な表示部１１５とを有する。制御部１１０には、画像圧縮／伸長部１１１、撮像部１１２、画像処理部１１３が電気的に接続される。さらに制御部１１０には、無線通信部１１４（受付手段；携帯端末２００と通信可能である）、表示部１１５、操作部１１６（第一の指示手段）、ＲＯＭ１１７、ＲＡＭ１１８、記録媒体Ｉ／Ｆ１１９が電気的に接続される。制御部１１０と各構成部とは互いにデータのやり取りを行うことができる。撮像装置１００は、画像データを記録するためのインタフェースとして記録媒体Ｉ／Ｆ１１９を有する。記録媒体Ｉ／Ｆ１１９はメモリカード等の着脱可能な記録媒体１２０を挿入可能なスロットを有しており、記録媒体１２０が着脱される。なお、画像データの記録先は、着脱ができない内蔵メモリであってもよい。なお、撮像装置１００を、無線通信部１１４以外に有線で携帯端末２００と通信可能に構成してもよい。
【００１２】
制御部１１０はＣＰＵを有し、撮像装置１００のシステム全般を制御する制御手段である。制御部１１０はＲＯＭ１１７に記録されたプログラムをＲＡＭ１１８に展開して実行することで各構成部を制御し、後述のフローチャートを実行する。ＲＯＭ１１７は不揮発性の記録媒体であり、制御部１１０が実行するプログラムを記憶している。ＲＡＭ１１８は制御部１１０のワークメモリとして用いられる揮発性の記録媒体である。撮像部１１２で撮像され画像処理部１１３により画像処理された画像データや、記録媒体１２０から読み出された画像データが、制御部１１０に供給される。ＲＡＭ１１８は、これらの画像データを、画像圧縮／伸長部１１１で圧縮処理または伸長処理を施すためや表示部１１５で表示するために、一時格納するＶＲＡＭとしても用いられる。ＲＡＭ１１８はさらに、撮像した画像に関連付けて記録する属性情報を一時格納するＲＡＭとしても用いられる。この属性情報は携帯端末２００（図２）から受信することができる。
【００１３】
画像処理部１１３は、撮像部１１２で撮像された画像データに、所定の画素補間、リサイズ処理や色変換処理を行う。また、画像処理部１１３は、撮像された画像データを用いて所定の演算処理を行い、制御部１１０は得られた演算結果に基づいて撮像部１１２による撮像に関する各種制御（露光制御、オートホワイトバランス制御等）を行う。画像圧縮／伸長部１１１は、画像処理部１１３で画像処理された画像データを圧縮する処理や記録媒体１２０から読み出した画像データに対する伸長処理を行う。撮像部１１２は、撮影レンズ（ズームレンズとフォーカスレンズ含む）と撮像素子とを有し（いずれも図示せず）、制御部１１０からの制御に基づき被写体を撮像し、静止画や動画像データといった画像データを取得する。
【００１４】
表示部１１５は、覗き込み形のファインダー内の液晶ディスプレイや、バリアングルの液晶モニタなどとして構成される。表示部１１５には、制御部１１０からの制御に基づき、各種設定状態、撮像部１１２で撮像されている画像（スルー画像）、記録媒体１２０から読み出して再生する画像などが表示される。操作部１１６はユーザからの操作を受け付ける操作部である。操作部１１６は、撮像装置１００に電源を供給するための電源スイッチ、撮影開始ボタン、カメラモード（撮影モード）や再生モードに切り替え可能なモード切替ボタン、表示部１１５に設置されたタッチパネルなどを含む。無線通信部１１４は、制御部１１０からの制御に基づき、端末装置、外部カメラやパーソナルコンピュータといった外部機器（携帯端末２００も含まれる）とのデータの送受信を無線通信により行う。無線通信部１１４は、撮像装置１００の設定情報や操作情報などを送信し、撮像装置１００を操作する指示であるコマンドや、画像データと共に記録する属性情報などを受信する。送受信可能なデータにはデジタル画像データやアナログ映像信号が含まれる。なお、撮像装置１００は、有線による通信を可能とする有線通信部を備えていてもよい。
【００１５】
図２は、携帯端末２００のブロック図である。この携帯端末２００は、撮像装置１００と無線接続可能な端末装置であり、本体１０１とは別に配設されるリモコンやリモートコントローラ等である。携帯端末２００は、携帯端末２００のシステム全般を制御する制御部２２１を有する。制御部２２１には、構成部として表示部２２２、操作部２２３、無線通信部２２４、ＲＯＭ２２５、ＲＡＭ２２６が電気的に接続され、制御部２２１と各構成部とは互いにデータのやり取りを行うことができる。
【００１６】
制御部２２１はＣＰＵを有し、ＲＯＭ２２５に記録されたプログラムをＲＡＭ２２６に展開して実行することで、各構成部を制御する。ＲＯＭ２２５は、不揮発性の記録媒体であり、制御部２２１が実行するプログラムを記憶している。ＲＡＭ２２６は制御部２２１のワークメモリとして用いられる揮発性の記録媒体である。表示部２２２は、液晶等のディスプレイであり、制御部１１０からの制御に基づき、各種設定状態や、無線通信部２２４より受信したデータ（デジタル画像データやアナログ映像信号を含む）などを表示する。
【００１７】
操作部２２３はユーザからの操作を受け付ける操作部であり、携帯端末２００に電源を供給するための電源スイッチ、各種指示を入力するためのスイッチ等を有する。無線通信部２２４は、制御部２２１からの制御に基づき、外部カメラやパーソナルコンピュータといった機器（撮像装置１００も含まれる）とのデータ送受信を無線通信により行う。無線通信部２２４は、撮像装置１００の設定情報や操作情報などを受信すると共に、撮像装置１００を操作するためのコマンドや、画像データと共に記録する属性情報などを送信する。送受信可能なデータにはデジタル画像データやアナログ映像信号が含まれる。
【００１８】
なお、携帯端末２００は、撮像装置１００へコマンドを送信できる装置であればよく、形態は問わない。また、無線通信の規格は問わず、コマンドの送信は有線で行っても良い。
【００１９】
図３（ａ）〜（ｄ）は、撮像装置１００の表示部１１５の表示例を示す図である。表示部１１５は、画像表示領域Ｒ２と端部領域Ｒ１（Ｒ１ａ、Ｒ１ｂ）（所定の領域）とを有する。画像表示領域Ｒ２には、撮影中の画像がスルー画像（ライブビュー画像）として表示されたり、既に記録された画像が再生表示されたりする。端部領域Ｒ１は、画像表示領域Ｒ２以外の領域であり、画像表示領域Ｒ２の上下の端部に配置され、撮影画像以外の情報を表示する。画像表示領域Ｒ２は、記録する画像のアスペクト比に応じて変更される領域であり、端部領域Ｒ１は表示部１１５のうち画像表示領域Ｒ２を除いた残りの領域である。なお、端部領域Ｒ１、画像表示領域Ｒ２のいずれも、各種の表示色を表示可能で、撮影画像とは別の模様、文字、図形等の表示を行うことも可能である。制御部１１０は、撮影画像以外の画像を表示部１１５に表示させる場合に、画像処理部１１３と協働して、表示用のデータを生成することができる。
【００２０】
画像表示領域Ｒ２と端部領域Ｒ１ａとに跨って記録状態アイテム３０１が設けられる。記録状態アイテム３０１は、撮影待機中は白く発光する四角形であり、動画記録中になると赤く発光する円形となる。画像表示領域Ｒ２内には、モード表示部３０２が設けられる。モード表示部３０２には、撮影モード等の各種動作モードに対応した内容が表示される。
【００２１】
記録開始コマンド（記録開始指示）は、ユーザにより本体１０１の操作部１１６で入力されて受け付けられる場合と、外部の装置、例えば携帯端末２００から送信され無線通信部１１４で受信されることにより受け付けられる場合とがある。記録開始コマンドを受け付けると、制御部１１０は動画撮影を開始する。記録開始コマンドは、所定の指示のうち、撮影記録動作を開始させる第一の指示である。なお、記録開始コマンドに応じて記録されるコンテンツは、動画だけでなく、静止画や音声であってもよい。
【００２２】
図３（ａ）、（ｂ）、（ｃ）、（ｄ）に示される表示部１１５の表示態様をそれぞれ、態様Ａ、Ｂ、Ｃ、Ｄと呼称する。態様Ａは、撮影待機状態を示す表示態様である。態様Ｂは、記録開始コマンドが本体１０１の操作部１１６を介して受け付けられた場合の動画記録中を示す表示態様である。態様Ｃは、記録開始コマンドが無線通信部１１４を介して受け付けられた場合の動画記録中を示す表示態様である。態様Ｄは、記録に関するコマンド以外の操作コマンドが無線通信部１１４を介して受け付けられた場合の表示態様である。表示部１１５の画面全体は、４：３のアスペクト比であり、撮影待機対象の画像は１６：９であるため、本実施の形態では、上下の端部領域Ｒ１をマスク領域として用いる。
【００２３】
例えば、撮影待機状態での態様Ａ（図３（ａ））では、画像表示領域Ｒ２にスルー画像が表示されると共に、端部領域Ｒ１は黒マスク（黒色表示）となる。記録状態アイテム３０１は、白い四角形である。撮影モードはオートに設定されているとし、モード表示部３０２には「ＡＵＴＯ」が表示されている。この状態で、操作部１１６から記録開始コマンドが入力されると、表示画面は態様Ｂに遷移する（図３（ｂ））。態様Ｂでは、記録状態アイテム３０１が白い四角形から赤い円形に変化するが、その他は変化しない。
【００２４】
態様Ｂの状態で、携帯端末２００の操作部２２３から記録開始コマンドが送信され、無線通信部１１４を介して受け付けられると、表示態様は態様Ｃに遷移する（図３（ｃ））。態様Ｃでは、制御部１１０は、態様Ｂに対し、端部領域Ｒ１を黒色から赤色に変え、記録開始コマンドが受け付けられたことを示す。端部領域Ｒ１は表示部１１５の辺に沿った領域であり、画像表示領域Ｒ２の回りの領域を示すので、端部領域Ｒ１を見れば画像のアスペクト比がわかる。端部領域Ｒ１の色を黒色から遠くからでも目立つ赤色にするとユーザは横長のアスペクト比で動画の記録が開始されたことを把握することができる。また、端部領域Ｒ１は上下に領域があり、上下の領域がともに赤くなるので、ユーザは、離れた場所（例えば携帯端末２００の近く）からも、記録が開始された（もしくは記録中である）ことを視認しやすい。色を変えるのは、コマンドを受付けたタイミングでもよいし、受付けたコマンドに応じた機能を実行したタイミングでもよい。遠隔の時のみ、端部領域Ｒ１が大きくなるように画像表示領域Ｒ２を小さくすると、端部領域Ｒ１の表示の変化が分かりやすくなる。また、ユーザが本体の近くにいる場合に画像表示領域Ｒ２を大きくした方が画像を確認しやすい。
【００２５】
態様Ａの状態で、携帯端末２００の操作部２２３から記録に関するコマンド以外のその他の操作コマンド（第二の指示）が送信され、無線通信部１１４を介して受け付けられると、表示画面は態様Ｄに遷移する（図３（ｄ））。例えば、撮影モードをプログラムＡＥモードへ切り換えるコマンドが受け付けられた場合、モード表示部３０２には、態様Ａで表示されていた「ＡＵＴＯ」に代わって、態様Ｄでは「Ｐ」が表示される（プログラムのＰを示す）。それだけでなく、制御部１１０は、態様Ａに対し、端部領域Ｒ１を黒色から青色に変え、記録以外のコマンドを受付けたことを示す。上下のマスク領域が青くなるので、ユーザは、離れた場所（例えば携帯端末２００の近く）からも、操作コマンドが正常に受け付けられたことを視認しやすい。なお、端部領域Ｒ１が青色表示を継続するのは一時的であり、所定時間が経過するとその直前の表示状態に戻る。
【００２６】
なお、表示態様を態様Ｃ、Ｄのいずれかとしている最中に、本体１０１の操作部１１６を介して、ユーザからの何らかのコマンドが受け付けられた場合には、態様Ｃ、Ｄの表示は終了し、撮影待機状態へ移行する。また、表示態様を態様Ｃとしている最中に、記録動作を解除する指示である記録終了コマンドが無線通信部１１４または本体１０１の操作部１１６を介して受け付けられた場合には、態様Ｃの表示は終了し、表示態様は態様Ａへと遷移する。表示部１１５の表示態様に関し、画像表示領域Ｒ２及び端部領域Ｒ１だけに着目したとき、態様Ａ、Ｂは同じ態様である。態様Ａ、Ｂが第１の態様である。また、態様Ｃは第２の態様、態様Ｄは第３の態様である。
【００２７】
なお、表示部１１５の表示領域のうち、アイテム３０１が表示されている領域が本発明における「第一の領域」となる。第一の領域よりも大きな「第二の領域」には、端部領域Ｒ１が該当する。このほか、「第二の領域」には、端部領域Ｒ１に加えて画像表示領域Ｒ２が含まれる場合もあり、さらにはアイテム３０１が含まれる場合もある。
【００２８】
図４は、表示部１１５の表示制御処理のフローチャートである。このフローチャートの処理は、ＲＯＭ１１７に格納されたプログラムを制御部１１０がＲＡＭ１１８に読み出して実行することにより実現される。この処理は、撮像装置１００の電源がオンにされると開始され、その後、所定の時間間隔で繰り返し実行される。
【００２９】
まず、制御部１１０は、携帯端末２００または本体１０１からコマンドを受け付けた否かを判別し（ステップＳ４０１）、コマンドを受け付けた場合は、そのコマンドの発信元が本体１０１（操作部１１６）であるか否かを判別する（ステップＳ４０２）。そして、コマンドの発信元が本体１０１である場合は、制御部１１０は、表示部１１５の表示態様を態様Ａまたは態様Ｂとするよう制御する（ステップＳ４０３）。具体的には、本体１０１からのコマンドが記録開始コマンド以外のコマンドであれば態様Ａ（図３（ａ））、記録開始コマンドであれば態様Ｂ（図３（ｂ））とされる。従って、例えば、表示態様を態様Ｃ、Ｄのいずれかとしている最中に、本体１０１からコマンドが受け付けられた場合には、態様Ｃ、Ｄの表示は終了する。また、制御部１１０は、ステップＳ４０３では受付けたコマンドに応じた処理を行う。すなわち、制御部１１０は、そのコマンドが記録の開始であれば本体１０１側で記録を開始し、その他のモード切替等のコマンドであれば、モード切替等の受付けた指示に応じた処理をする。その後、図４の処理は終了する。
【００３０】
一方、ステップＳ４０２の判別の結果、コマンドの発信元が本体１０１でない場合は、そのコマンドは無線通信部１１４で受信されて受け付けられたものであり、コマンドの発信元は携帯端末２００である。そこで制御部１１０は、受け付けられたコマンドが記録開始コマンドであるか否かを判別する（ステップＳ４０４）。そして、受け付けられたコマンドが記録開始コマンドである場合は、制御部１１０は、表示部１１５の表示態様を態様Ｃ（図３（ｃ））とするよう制御する（ステップＳ４０５）。その後、図４の処理は終了する。
【００３１】
一方、ステップＳ４０４の判別の結果、受け付けられたコマンドが記録開始コマンドでない場合は、制御部１１０は、受け付けられたコマンドが記録終了コマンドであるか否かを判別する（ステップＳ４０６）。そして受け付けられたコマンドが記録終了コマンドである場合は、制御部１１０は、表示部１１５の表示態様を態様Ａ（図３（ａ））とするよう制御する（ステップＳ４０７）。従って、例えば、表示態様を態様Ｃとしている最中に、記録終了コマンドが無線通信部１１４を介して受け付けられた場合は、態様Ｃの表示は終了し、態様Ａへと遷移する。その後、図４の処理は終了する。
【００３２】
一方、ステップＳ４０６の判別の結果、受け付けられたコマンドが記録終了コマンドでない場合は、モード切替等のその他のコマンドである。そこで制御部１１０は、画像記録中でなければ表示部１１５の表示態様を態様Ｄ（図３（ｄ））とするよう制御する（ステップＳ４０８）。なお、画像の記録中には、モード切替のコマンドは受付けないので、記録中である場合には、制御部１１０は、ステップＳ４０８では態様Ｄへの移行処理を行わない。その後、図４の処理は終了する。これにより、ユーザは、記録以外の指示が撮像装置１００へ正常に伝達され、応答したことを視認できる。ステップＳ４０１の判別の結果、コマンドを受け付けていない場合は、制御部１１０は、現在の表示部１１５の表示態様が態様Ｄであるか否かを判別し（ステップＳ４０９）、表示態様が態様Ｄでない場合は図４の処理を終了させる。一方、現在の表示部１１５の表示態様が態様Ｄである場合は、制御部１１０は、最後に表示態様が態様Ｄとなってから所定時間が経過したか否かを判別する（ステップＳ４１０）。なお、所定時間の計時はステップＳ４０８で開始されている。そして制御部１１０は、最後に表示態様が態様Ｄとなってから所定時間が経過していない場合は図４の処理を終了させる。
【００３３】
一方、所定時間が経過した場合は、制御部１１０は、表示部１１５の表示様態を様態Ａに変更する。記録中には、モード切替指示を受付けないので、様態Ｄである場合には記録中ではない。よって、所定時間が経過したら待機中であることを示す様態Ａに戻る。ここで、図４の処理は終了する。
【００３４】
本実施の形態によれば、制御部１１０は、コマンドを本体１０１の操作部１１６で受け付けるほか、外部からのコマンドを無線通信部１１４で受信することで受け付ける。制御部１１０は、記録開始コマンド（第一の指示）が本体１０１で受け付けられた場合は、表示部１１５の表示態様を態様Ｂ（第１の態様）とし、無線通信部１１４で受け付けられた場合は、態様Ｃ（第２の態様）とする。
【００３５】
態様Ｂでは、アイテム３０１（第一の領域）が赤丸になることで記録開始が指示されたことが示される。態様Ｃでは、端部領域Ｒ１（第二の領域）が赤色になることで記録開始が指示されたことが示される。端部領域Ｒ１はアイテム３０１よりも大きい。すなわち、同じコマンドであっても本体１０１から受け付けた時よりも無線通信部１１４から受け付けた時の方が、表示部１１５のうち表示形態が変わる領域が大きい。これにより、携帯端末２００（リモコン）で本体１０１へ指示をしたユーザが、本体１０１が指示を受付けたのかをより正確に認識することができる。
【００３６】
さらに、表示部１１５のうち、画像のアスペクト比を示す領域の表示形態が変更されるので、ユーザは画像に関する指示が受け付けられたこと、大まかにどのくらいのアスペクト比での撮影が行われているのかを把握しやすい。よって、遠く離れた位置にいるユーザからも表示部１１５の表示形態の変化が分かりやすくなるので、行った指示が伝わっていることを認識しやすくなる。
【００３７】
また、記録開始コマンドとは異なるその他の操作コマンド（第二の指示）、例えば、撮影モードの切り換えコマンドが無線通信部１１４で受け付けられた場合は、表示部１１５の表示態様が態様Ｄとなる。ここで、その他の操作コマンドが本体１０１で受け付けられた場合は、表示部１１５の表示態様が態様Ａまたは態様Ｂとなっており、これらは態様Ｄとは異なる。従って、その他の操作コマンドに対応する応答状態を確認しやすくすることができる。
【００３８】
なお、態様Ａ〜態様Ｄにおいて、画像表示領域Ｒ２以外で表示態様が変化する所定の領域として表示部１１５の上下両端である端部領域Ｒ１ａ、Ｒ１ｂを例示したが、これらに限らない。例えば、アスペクト比によっては、端部領域Ｒ１は表示部１１５の左右両端の領域（左右の辺に沿った領域）となる。また、画像表示領域Ｒ２を小さくすることで端部領域Ｒ１を枠の形になるようにし、コマンドを受け取ったら枠の表示形態を変更するようにしてもよい。すなわち、端部領域Ｒ１は、表示画像を囲う領域とされる。この場合、制御部１１０は、画像と表示部１１５のアスペクト比が合っている場合にも、表示部１１５の縦横いずれかと画像の一辺との長さが合うように画像を表示せず、枠ができるように画像を少し小さめにして表示してもよい。また、画像のアスペクト比が表示部１１５のアスペクト比と同じでなくても、常に画像表示領域Ｒ２を小さく変更（アスペクト比は同じまま）し、端部領域Ｒ１が大きくなるようにしてもよい。このように制御部１１０は、表示部１１５に所定のアスペクト比の画像が表示されている場合は、無線通信部１１４でコマンドが受け付けられたことに応じて、画像の表示される領域を小さくする。さらに制御部１１０は、画像の表示される領域以外の領域であって、画像を囲う領域を第二の領域として、所定の指示がされたことを示す表示を行うように制御する。
【００３９】
また端部領域Ｒ１は、画像表示領域Ｒ２内の隅等の一部の領域であってもよい。所定の領域の数は１つでもよいし、３つ以上であってもよい。また、所定の領域を複数とした場合、それらを共通の表示色とすることは必須でなく、異なる表示色や模様等の組み合わせにより、態様Ａ、Ｂと態様Ｃと態様Ｄとが互いに異なる態様となるようにしてもよい。さらに、アイテム３０１を拡大して表示部１１５の全面に表示されるようにしてもよい。すなわち、制御部１１０は、リモート指示でない場合には、通常の大きさで画像にあまり重ならないようにアイテム３０１を表示し、リモート指示の場合には、アイテム３０１を拡大して画像上に表示するようにする。
【００４０】
また、所定の領域に用いられる表示色としては、例示した黒、赤、青に限定されない。さらに、所定の領域における表示態様の変化は、表示色に限られず、表示する模様、マーク、点滅の有無等であってもよい。表示色には無発光により視認される色も含まれる。
【００４１】
また、リモート指示がされた場合には、態様ＣまたはＤを表示すると共に、表示部１１５の表示がより目立つように、表示部１１５の輝度を上げるようにしてもよい。表示部１１５の輝度は、記録中ずっと上げていてもよいし、１０秒や２０秒といった所定時間経過したことに応じて下げてもよい。また、モード切替指示の場合には所定時間経過したことに応じて下げるようにしてもよい。
【００４２】
（第２の実施の形態）
図５（ａ）、（ｂ）は、本発明の第２の実施の形態における表示部１１５の表示例を示す図である。本実施の形態では、第１の実施の形態に対して、表示部１１５の表示態様のうち態様Ｃ、Ｄが異なる。態様Ａ、Ｂ、及びその他の構成については第１の実施の形態と同様である。すなわち、態様Ｃ（第２の態様）、態様Ｄ（第３の態様）については、図３（ｃ）、（ｄ）に示すものに代えて図５（ａ）、（ｂ）に示すものが採用される。
【００４３】
態様Ｃ（図５（ａ））では、画像表示領域Ｒ２にはスルー画像が表示されず、端部領域Ｒ１だけでなく画像表示領域Ｒ２も赤色で表示される。その他は図３（ｃ）に示すものと同じである。画面全体が赤くなるので、ユーザは、離れた場所（例えば携帯端末２００の近く）からも、記録が開始されたことを一層視認しやすい。一方、態様Ｄ（図５（ｂ））では、画像表示領域Ｒ２にはスルー画像が表示されず、端部領域Ｒ１だけでなく画像表示領域Ｒ２も青色で表示される。画面全体が青くなるので、ユーザは、離れた場所（例えば携帯端末２００の近く）からも、操作コマンドが正常に受け付けられたことを視認しやすい。なお、このとき、画像のアスペクト比を示すためにアスペクト比を示す線を表示するようにしてもよい。
【００４４】
本実施の形態によれば、リモコンで装置の本体へ指示をしたユーザが、本体が指示を受付けたのかをより正確に認識できるようにすることに関し、第１の実施の形態と同様の効果を奏することができる。しかも、表示部１１５の画面全体が赤色または青色に変化するので、視認性が高まり、一層、応答状態を確認しやすくなる。
【００４５】
なお、本実施の形態では、態様Ｃ、Ｄでは、画像表示領域Ｒ２の表示態様を端部領域Ｒ１と同じ表示態様としたが、態様Ａ、Ｂのようなスルー画像の表示と明確に区別できる態様であればよく、同じでなくてもよい。また、表示色を変化させる際に表示部１１５の全画面を用いることは必須でない。
【００４６】
（第３の実施の形態）
図６は、本発明の第３の実施の形態における表示部１１５の表示制御処理のフローチャートの一部である。このフローチャートの処理は、図４のフローチャートにステップを追加したものであり、実行要件や開始条件は図４で説明したのと同様である。図６では、ステップＳ４０１〜Ｓ４０８の図示、ステップＳ４１０〜Ｓ４１１の具体的な図示が省略されている。本実施の形態は、第１、第２の実施の形態のいずれにも適用できる。従って、第１の実施の形態に適用する場合は、態様Ｃ、Ｄは図３（ｃ）、（ｄ）に示すもので考え、第２の実施の形態に適用する場合は、態様Ｃ、Ｄは図５（ａ）、（ｂ）に示すもので考えればよい。
【００４７】
不図示のステップＳ４０１〜Ｓ４０８の処理は図４で説明した通りである。ステップＳ４０９の処理も図４で説明した通りである。ステップＳ４０９の判別の結果、現在の表示部１１５の表示態様が態様Ｄである場合は、制御部１１０は、図４のステップＳ４１０〜Ｓ４１１を実行して表示制御処理を終了させる。現在の表示部１１５の表示態様が態様Ｄでない場合は、制御部１１０は、エラー受け付け中であるか否か（エラー検知したか否か）を判別する（ステップＳ６０１）。ここでいうエラー（警告する対象となる事象）には、正常な動作を継続できない事象、例えば、記録を開始または継続できない事象（メディアフル、メディア書き込みエラー、バッファーオーバー、バッテリー残量低下）等が含まれる。
【００４８】
そして、エラー受け付け中でない（警告する対象となる事象がない）場合は、制御部１１０は表示制御処理を終了させる。一方、エラー受け付け中である場合は、制御部１１０は、予め定めた一定の時間の経過を待ってから（ステップＳ６０２）、現在の表示部１１５の表示態様が態様Ａまたは態様Ｂであるか否かを判別する（ステップＳ６０３）。一定の時間は例えば、３秒や４秒である。そして、現在の表示部１１５の表示態様が態様Ａまたは態様Ｂである場合は、制御部１１０は、表示部１１５の表示態様を態様Ｃとするよう制御する（ステップＳ６０４）。一方、現在の表示部１１５の表示態様が態様Ａまたは態様Ｂのいずれでもない場合は、表示態様が態様Ｃであるので、制御部１１０は、表示部１１５の表示態様を態様Ａまたは態様Ｂのいずれかとするよう制御する（ステップＳ６０５）。具体的には制御部１１０は、記録継続中であれば態様Ｂ、記録継続中なければ態様Ａへと、表示態様を遷移させる。ステップＳ６０４、Ｓ６０５の後、表示制御処理は終了する。
【００４９】
従って、表示部１１５の表示態様が態様Ａ、Ｂ、Ｃのいずれかとなっている最中にエラーが発生した場合は、表示態様が、第１の態様（態様Ａまたは態様Ｂ）と第２の態様（態様Ｃ）とに一定の時間間隔で交互に切り替わる。
【００５０】
本実施の形態によれば、リモコンで装置の本体へ指示をしたユーザが、本体が指示を受付けたのかをより正確に認識できるようにすることに関し、第１の実施の形態と同様の効果を奏することができる。また、エラー受け付け中においては、表示部１１５の表示態様が態様Ａ、Ｂと態様Ｃとに周期的に切り替わるので、点滅のような視覚効果を発揮でき、離れた場所からもエラー発生を確認しやすくなる。エラーを受付けた際に、交互に表示をする表示形態は様態Ａ，Ｂ，Ｃでなくてもその他の様態でもよい。
【００５１】
ところで、上記各実施の形態において、携帯端末２００は、撮像装置１００から撮影画像を受信し、それを表示部２２２上に表示させる。従って、撮像装置１００側での撮影画面の確認が仮にできなくても、携帯端末２００側での確認が可能となっている。
【００５２】
なお、上記各実施の形態において、コマンドの送信元として携帯端末２００を例示したが、これに限るものではない。例えば、撮像装置１００に付随して製造される遠隔操作用のリモコン装置等であってもよい。
【００５３】
なお、撮像装置１００は、赤外線リモコンからのコマンドの受け付けも可能な構成としてもよい。赤外線リモコンからコマンドを受け付けた場合、無線通信部１１４で外部からコマンドを受け付けた場合と同等に扱ってもよい。しかし、本体１０１の操作部１１６でコマンドを受け付けた場合と同等に扱うのが好ましい。これは、赤外線リモコンには一般に撮影画像の受信や表示の機能が備わっておらず、ユーザがカメラに直接触りたくない状況（シャッタオンでカメラが動くのを避けたい等）で使用することが多いため、カメラ側で画像確認するのが通常だからである。なお、第一の指示として記録開始コマンド、第二の指示として撮影モードの切り換えコマンドを例示したが、これらのコマンドに限定されない。
【００５４】
なお、図４（図６も含む）のフローチャートの処理は制御部１１０が行うものとして説明したが、上述の各種制御は、１つのハードウェアが行ってもよいし、複数のハードウェアが処理を分担することで、装置全体の制御を行ってもよい。
【００５５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５６】
また、上述した実施形態においては、本発明をデジタルビデオカメラに適用した場合を例にして説明したが、この例に限定されず、本体側と携帯装置側とからの指示を受付け可能で、表示を制御可能な電子機器であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤ、ゲーム機、電子ブックリーダ等に適用可能である。さらには、タブレット端末、スマートフォン、投影装置、ディスプレイを備える家電装置や車載装置などに本発明を適用可能である。
【００５７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５８】
１０１  本体
１１０  制御部
１１４  無線通信部
１１５  表示部
１１６  操作部
【図１】
2018019347.tif 000003
【図２】
2018019347.tif 000004
【図３】
2018019347.tif 000005
【図４】
2018019347.tif 000006
【図５】
2018019347.tif 000007
【図６】
2018019347.tif 000008